(57)【要約】【課題】  給紙カセットを複数段備える画像形成装置において、各給紙カセットに設けられた用紙サイズ設定手段と装置本体に設けられた用紙設定手段による用紙の設定作業を簡略化する。【解決手段】  制御部２０により、特定の１の給紙カセット３１０の同じ用紙サイズを指定する選択肢が選択された用紙サイズ設定ダイアル３２１，３３１，３４１を備える給紙カセット３２０，３３０，３４０の用紙サイズを上記特定の１の給紙カセット３１０の同じ用紙サイズに設定して、給紙部３００から画像形成部１００に用紙を給紙する制御を行う。【選択図】        図２
2007176680.tif 000002
【特許請求の範囲】
【請求項１】
予め指定された用紙を給紙して当該用紙に画像を形成する画像形成装置であって、
上記用紙を給紙する複数の給紙カセットを備える給紙部と、
上記給紙カセットに設けられた用紙サイズ設定手段と、
上記給紙部の給紙カセットの１つから給紙された用紙に画像を形成する画像形成手段と、
装置本体に設けられた用紙設定手段と、
上記用紙サイズ設定手段及び用紙設定手段による設定に基づいて、上記給紙部から上記画像形成手段に用紙を給紙する制御を行う制御手段と
を備え、
上記用紙サイズ設定手段は、複数の給紙カセットのうちの特定の１の給紙カセットの同じ用紙サイズを指定する選択肢が設けられており、
上記制御手段は上記特定の１の給紙カセットの同じ用紙サイズを指定する選択肢が選択された用紙サイズ設定手段を備える給紙カセットの用紙サイズを上記特定の１の給紙カセットの同じ用紙サイズに設定して、上記給紙部から上記画像形成手段に用紙を給紙する制御を行うことを特徴とする画像形成装置。
【請求項２】
予め指定された用紙を給紙して当該用紙に画像を形成する画像形成装置であって、
上記用紙を給紙する複数の給紙カセットを備える給紙部と、
上記給紙カセットに設けられた用紙サイズ設定手段と、
上記給紙部の給紙カセットの１つから給紙された用紙に画像を形成する画像形成手段と、
装置本体に設けられた用紙設定手段と、
上記用紙サイズ設定手段及び用紙設定手段による設定に基づいて、上記給紙部から上記画像形成手段に用紙を給紙する制御を行う制御手段と
を備え、
上記用紙サイズ設定手段は、複数の給紙カセットのうちの連携する給紙カセットと同じ用紙サイズを指定する選択肢が設けられており、
上記制御手段は上記連携する給紙カセットと同じ用紙サイズを指定する選択肢が選択された用紙サイズ設定手段を備える給紙カセットの用紙サイズを上記連携する給紙カセットと同じ用紙サイズに設定して、上記給紙部から上記画像形成手段に用紙を給紙する制御を行うことを特徴とする画像形成装置。
【発明の詳細な説明】
【技術分野】
【０００１】
本発明は、プリンタや複写機、ファクシミリ装置あるいは複合機等の画像形成装置に関し、特に、画像を形成する用紙がセットされる給紙カセットを複数備える画像形成装置に関する。
【背景技術】
【０００２】
画像形成装置として複写機を例にとると、近年の複写機は、画像を形成する用紙がセットされる給紙カセットを複数備え、Ａ４サイズ（日本工業規格（ＪＩＳ）のＡ列４番（以下同様））やＡ３サイズ等といった異なるサイズの用紙に複写するだけでなく、普通紙や厚紙等といった異なる種類の用紙にも複写できるようになっている。
【０００３】
例えば、給紙カセットのダイアルを回して用紙サイズを設定するプリンタでは、ダイアルにＡ４、Ｂ５等の具体的な選択肢と具体的でないＯｔｈｅｒという選択肢があり、Ｏｔｈｅｒを選択した場合は、プリンタ本体に設けられている操作パネルで具体的な用紙サイズを設定することが可能となっているものがある。すなわち、Ｏｔｈｅｒを選択することで、ダイアルの選択肢にない用紙サイズを操作パネルで設定できる。
カセット１〜４を備えるプリンタにおいて、上記カセット１〜４のサイズをＦｏｌｉｏに設定するには、以下の手順Ａ１〜Ａ８が必要であった。
Ａ１．  カセット１のダイアルをＯｔｈｅｒにする。
Ａ２．  操作パネルのメニューでカセット１のサイズとしてＦｏｌｉｏを選択する。
Ａ３．  カセット２のダイアルをＯｔｈｅｒにする。
Ａ４．  操作パネルのメニューでカセット２のサイズとしてＦｏｌｉｏを選択する。
Ａ５．  カセット３のダイアルをＯｔｈｅｒにする。
Ａ６．  操作パネルのメニューでカセット３のサイズとしてＦｏｌｉｏを選択する。
Ａ７．  カセット４のダイアルをＯｔｈｅｒにする。
Ａ８．  操作パネルのメニューでカセット４のサイズとしてＦｏｌｉｏを選択する。
また、画像を形成する用紙を収納する給紙カセットを複数段備える画像形成装置おいて、これら各給紙カセット毎に、収納されている用紙の種別又は／及び否定形サイズの設定情報を設定させる入力部を設けることにより、給紙カセットを選択するのみによって、当該給紙カセットに設定された設定情報に基づき、画像形成装置に係る制御条件が自動的に選択されかつ適用されて、その運転が実現されている（例えば、特許文献１参照）。
【０００４】
【特許文献１】特開２００１−１６６６４１号公報
【発明の開示】
【発明が解決しようとする課題】
【０００５】
ところで、給紙カセットを複数段備える画像形成装置では、従来、収容する用紙に合わせて各給紙カセットを個別に設定しなければならず、例えば、すべての給紙カセットをダイアルの選択肢にない用紙サイズに設定する場合は、すべての給紙カセットについて、操作パネルで用紙サイズを設定する必要があり手間がかかるという問題点があった。
【０００６】
そこで、本発明の目的は、上述の如き従来の問題点に鑑み、給紙カセットを複数段備える画像形成装置において、各給紙カセットに設けられた用紙サイズ設定手段と装置本体に設けられた用紙設定手段による用紙の設定作業を簡略化することにある。
【０００７】
本発明の更に他の目的、本発明によって得られる具体的な利点は、以下に説明される実施の形態の説明から一層明らかにされる。
【課題を解決するための手段】
【０００８】
本発明は、予め指定された用紙を給紙して当該用紙に画像を形成する画像形成装置であって、上記用紙を給紙する複数の給紙カセットを備える給紙部と、上記給紙カセットに設けられた用紙サイズ設定手段と、上記給紙部の給紙カセットの１つから給紙された用紙に画像を形成する画像形成手段と、装置本体に設けられた用紙設定手段と、上記用紙サイズ設定手段及び用紙設定手段による設定に基づいて、上記給紙部から上記画像形成手段に用紙を給紙する制御を行う制御手段とを備え、上記用紙サイズ設定手段は、複数の給紙カセットのうちの特定の１の給紙カセットの同じ用紙サイズを指定する選択肢が設けられており、上記制御手段は上記特定の１の給紙カセットの同じ用紙サイズを指定する選択肢が選択された用紙サイズ設定手段を備える給紙カセットの用紙サイズを上記特定の１の給紙カセットの同じ用紙サイズに設定して、上記給紙部から上記画像形成手段に用紙を給紙する制御を行うことを特徴とする。
【０００９】
また、本発明は、予め指定された用紙を給紙して当該用紙に画像を形成する画像形成装置であって、上記用紙を給紙する複数の給紙カセットを備える給紙部と、上記給紙カセットに設けられた用紙サイズ設定手段と、上記給紙部の給紙カセットの１つから給紙された用紙に画像を形成する画像形成手段と、装置本体に設けられた用紙設定手段と、上記用紙サイズ設定手段及び用紙設定手段による設定に基づいて、上記給紙部から上記画像形成手段に用紙を給紙する制御を行う制御手段とを備え、上記用紙サイズ設定手段は、複数の給紙カセットのうちの連携する給紙カセットと同じ用紙サイズを指定する選択肢が設けられており、上記制御手段は上記連携する給紙カセットと同じ用紙サイズを指定する選択肢が選択された用紙サイズ設定手段を備える給紙カセットの用紙サイズを上記連携する給紙カセットと同じ用紙サイズに設定して、上記給紙部から上記画像形成手段に用紙を給紙する制御を行うことを特徴とする。
【発明の効果】
【００１０】
本発明によれば、特定の１の給紙カセットの同じ用紙サイズを指定する選択肢が選択された用紙サイズ設定手段を備える給紙カセットの用紙サイズを上記特定の１の給紙カセットの同じ用紙サイズに設定して、給紙部から画像形成手段に用紙を給紙する制御を行う制御手段を備えることにより、上記特定の１の給紙カセットの同じ用紙サイズを他の給紙カセットに簡単に設定することができる。
【００１１】
また、本発明によれば、連携する給紙カセットと同じ用紙サイズを指定する選択肢が選択された用紙サイズ設定手段を備える給紙カセットの用紙サイズを上記連携する給紙カセットと同じ用紙サイズに設定して、給紙部から画像形成手段に用紙を給紙する制御を行う制御手段を備えることにより、連携する給紙カセットと同じ用紙サイズを上記給紙カセットと連携する他の給紙カセットに簡単に設定することができる。
【発明を実施するための最良の形態】
【００１２】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１３】
本発明は、例えば図１に外観図を示すような構成の画像形成装置１に適用される。
【００１４】
この画像形成装置１は、画像形成部１００を備えた本体部１０、本体部１０の上方に設置された原稿読取部２００、本体部１０の下部に設置されたに給紙部３００、本体部１０のフロント部に設置された操作表示部４００などを備える複写機である。
【００１５】
上記給紙部３００には、上記画像形成部１００に用紙を給紙する複数の給紙カセット３１０，３２０，３３０，３４０が備えられており、収納する用紙のサイズを示す用紙サイズ設定ダイアル３１１，３２１，３３１，３４１が各給紙カセット３１０，３２０，３３０，３４０に設けられている。
【００１６】
上記画像形成装置１は、そのハードウエア構成を図２のブロック図に示すように、装置全体の動作制御を司るＣＰＵを中心とする制御部２０を備え、この制御部２０に画像形成部１００、原稿読取部２００、給紙部３００、操作表示部４００、画像記憶部５００、画像処理部６００等が接続されている。
【００１７】
制御部２０は、図３に示すように、画像形成装置１の制御プログラムを記憶するＲＯＭ(Read Only Memory)２１、一時的にデータを保管するＲＡＭ(Random Access Memory)２２、更新可能な各種設定データなどを保管するＥＥＰＲＯＭ（Electrically Erasable Programmable ROM）２３及び制御プログラム等を上記ＲＯＭ２１から読み出して実行するマイクロコンピュータ２４等からなり、操作表示部４００等において入力された所定の指示情報や、本装置の各所に設けられた各種センサからの検出信号に応じて装置全体の制御を行う。
【００１８】
画像形成部１００は、給紙部３００によって搬送されてきた用紙に対して所定の画像形成（印刷）を行うものであって、図示しないプリンタコントローラ、レーザ走査ユニットや定着ローラ等からなる。
【００１９】
原稿読取部２００は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２０へ出力する。
【００２０】
給紙部３００は、画像形成部１００に対して用紙の給紙を行うものであって、図示しないが、給紙カセット３１０，３２０，３３０，３４０から画像形成部１００へ用紙を搬送する搬送経路、各給紙カセット３１０，３２０，３３０，３４０に収納されている用紙を取り出すためのピックアップローラや、用紙を１枚ずつ搬送経路に送り出す給紙ローラなどを備えている。各給紙カセット３１０，３２０，３３０，３４０に設けられた用紙サイズ設定ダイアル３１１，３２１，３３１，３４１は、例えば、円筒状のダイアルで、装置本体１０の給紙部から給紙カセットを引き出した状態で回転させることができ、給紙カセットを閉めると、ダイアルの凹凸パターンが装置本体１０側のスイッチを押すことにより、用紙サイズの検知が行われるようになっている。
【００２１】
操作表示部４００は、ユーザの操作に応じて所定の指示入力を行うものであって、図示しない、ユーザが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００２２】
画像記憶部５００は、原稿読取部２００によって読み取られた原稿の画像データや図示しない略のネットワークＩ／Ｆ部等を介して外部装置から送信されてきた画像データを一時的に記憶するメモリである。
【００２３】
画像処理部６００は、上記画像データに対する各種画像処理を行うものであって、例えば、複数の原稿画像を１つの用紙に集約させる画像処理、すなわち、原稿画像の画像サイズを拡大又は縮小する拡大縮小処理や、複数の原稿画像を１つの用紙に配置するレイアウト処理を行う。また、画像処理部６００は、例えば、Ａ４サイズの４つの原稿画像をそれぞれＢ５サイズまで縮小し、これら縮小された４つのＢ５サイズの原稿画像を、Ａ３サイズの用紙の裏表両面に配置する（Ｂ５サイズの原稿画像を片面に２つ配置する）といった画像処理を行う。
【００２４】
この画像形成装置１において、制御部２０は、印刷データを受信した際に、印刷データ内の紙サイズ指定やカセット指定等の様々な条件により、給紙部３００どの給紙カセットから用紙を画像形成部１００に給紙するか決定する。また、制御部２０は、給紙カセットの用紙設定ダイアルが変更された時に、その用紙設定ダイアルにて示された用紙サイズの設定値をＥＥＰＲＯＭ２３に記憶させ、また、用紙設定ダイアルがＯｔｈｅｒに設定されたときに操作表示部４００による用紙サイズの設定を受け付けて、受け付けた用紙サイズの設定値をＥＥＰＲＯＭ２３に記憶させる。これにより、ＥＥＰＲＯＭ２３には、給紙カセット毎の用紙サイズ設定ダイアルの設定値とＯｔｈｅｒ時の設定値が記憶される。
【００２５】
ここで、給紙カセット３１０の用紙サイズ設定ダイアル３１１で設定できる用紙サイズの選択肢は、例えば図４の（Ａ）に示すように、Ａ４，Ａ５，Ｂ５，ＬＧ，ＬＴ，Ｏｔｈｅｒの６種類とし、また、給紙カセット３２０，３３０，３４０の用紙サイズ設定ダイアル３２１，３３１，３４１で設定できる用紙サイズの選択肢は、例えば図４の（Ｂ）に示すように、Ａ４，Ａ５，Ｂ５，ＬＧ，ＬＴ，ＯｔｈｅｒにＣａｓｓｅｔｔｅ１を加えた７種類とする。
【００２６】
制御部２０は、用紙サイズ設定ダイアルの選択肢がＯｔｈｅｒの場合に、上記操作表示部４００の操作による各種用紙サイズの設定を受付け、例えば図５に示すように、設定された用紙サイズを操作表示部４００に表示する。
上記操作表示部４００により設定可能な用紙サイズとしては、図６に示すように、ｅｎｖｅｌｏｐｅ  Ｃ５，Ａ５，Ｂ５，Ａ４，Ｌｅｔｔｅｒ，Ｌｅｇａｌ，Ｆｏｌｉｏ，１６Ｋなどがある。
【００２７】
また、制御部２０は、給紙カセット３２０，３３０，３４０の用紙サイズ設定ダイアル３２１，３３１，３４１において選択肢としてＣａｓｓｅｔｔｅ１が選択された場合に、Ｃａｓｓｅｔｔｅ１すなわち給紙カセット３１０に設定されている用紙サイズをＣａｓｓｅｔｔｅ１が選択された給紙カセットの用紙サイズとして設定する。
【００２８】
すなわち、この画像形成装置１における制御部２０による用紙サイズの設定処理では、例えば図７のフローチャートに示すように、給紙カセットが閉じられると（ステップＳ１）、用紙サイズ設定ダイアルに変更があった否か判定し（ステップＳ２）、その判定結果がＮｏすなわち用紙サイズ設定ダイアルに変更がない場合には、用紙サイズの設定を変更することなく、用紙サイズの設定処理を終了し、また、上記ステップＳ２の判定結果がＹｅｓすなわち用紙サイズ設定ダイアルに変更がある場合には、用紙サイズ設定ダイアルが変更されたのはカセット（１）すなわち給紙カセット３１０であるか否かを判定する（ステップＳ３）。
【００２９】
上記ステップＳ３の判定結果がＮｏすなわち用紙サイズ設定ダイアルが変更されたのはカセット（１）でない場合には、用紙サイズ設定ダイアルが変更されて新たに選択された選択肢がＣａｓｓｅｔｔｅ１であるか否かを判定する（ステップＳ４）。
【００３０】
そして、上記ステップＳ４の判定結果がＮｏすなわち新たに選択された選択肢がＣａｓｓｅｔｔｅ１でない場合には、その給紙カセットの用紙サイズとして用紙サイズ設定ダイアルの変更による新たな用紙サイズの設定値をＥＥＰＲＯＭ２３に記憶する（ステップＳ５）。
【００３１】
また、上記ステップＳ４の判定結果がＹｅｓすなわち新たに選択された選択肢がＣａｓｓｅｔｔｅ１である場合には、その給紙カセットの新たな用紙サイズとして、カセット（１）すなわち給紙カセット３１０と同じ用紙サイズの設定値をＥＥＰＲＯＭ２３に記憶する（ステップＳ５）。
【００３２】
また、上記ステップＳ３の判定結果がＹｅｓすなわち用紙サイズ設定ダイアルが変更されたのはカセット（１）である場合には、カセット（１）すなわち給紙カセット３１０の用紙サイズ設定ダイアル３１１により設定された新たな用紙サイズの設定値をＥＥＰＲＯＭ２３に記憶する（ステップＳ７）。
【００３３】
そして、カセット（ｎ）の用紙サイズ設定ダイアルの選択肢がＣａｓｓｅｔｔｅ１であるか否かを判定する（ステップＳ８）。
【００３４】
上記ステップＳ８の判定結果がＮｏすなわち給紙カセット３２０，３３０，３４０の用紙サイズ設定ダイアル３２１，３３１，３４１において選択肢としてＣａｓｓｅｔｔｅ１が選択されていない場合には、そのまま用紙サイズの設定処理を終了し、また、上記ステップＳ８の判定結果がＹｅｓすなわち給紙カセット３２０，３３０，３４０の用紙サイズ設定ダイアル３２１，３３１，３４１において選択肢としてＣａｓｓｅｔｔｅ１が選択されている場合には、Ｃａｓｓｅｔｔｅ１が選択されているカセット（ｎ）の新たな用紙サイズとして、カセット（１）すなわち給紙カセット３１０と同じ用紙サイズの設定値をＥＥＰＲＯＭ２３に記憶して（ステップＳ９）、用紙サイズの設定処理を終了する。
【００３５】
この画像形成装置１では、給紙カセット３２０，３３０，３４０の用紙サイズ設定ダイアル３２１，３３１，３４１において選択肢としてＣａｓｓｅｔｔｅ１を選択することによって、Ｃａｓｓｅｔｔｅ１が選択されたカセットの新たな用紙サイズとして、カセット（１）すなわち給紙カセット３１０と同じ用紙サイズを設定することができる。
【００３６】
すなわち、この画像形成装置１においてＣａｓｓｅｔｔｅ１の選択肢で特定されるカセット（１）は、給紙カセット３１０であって、Ｃａｓｓｅｔｔｅ１の選択肢を有するカセット（２）は給紙カセット３２０、カセット（３）は給紙カセット３３０、カセット（４）は給紙カセット３４０であり、カセット（２）の用紙サイズ設定ダイアルで  Ｃａｓｓｅｔｔｅ１を選択すると、カセット（２）の設定としてカセット（１）と同じサイズが設定される。カセット（３）、（４）についても同様に用紙サイズ設定ダイアルでＣａｓｓｅｔｔｅ１を選択するとカセット（３）、（４）の設定としてカセット１と同じサイズが設定される。
【００３７】
そして、この画像形成装置１では、以下の手順Ｂ１〜Ｂ５により、カセット（１）〜（４）のサイズを全てＦｏｌｉｏに設定することができる。
Ｂ１．  カセット１のダイアルをＯｔｈｅｒにする。
Ｂ２．  操作パネルのメニューでカセット１のサイズとしてＦｏｌｉｏを選択する。
Ｂ３．  カセット２のダイアルをＣａｓｓｅｔｔｅ１にする。
Ｂ４．  カセット３のダイアルをＣａｓｓｅｔｔｅ１にする。
Ｂ５．  カセット４のダイアルをＣａｓｓｅｔｔｅ１にする。
【００３８】
この画像形成装置１では、従来の画像形成装置における手順Ａ１〜Ａ８より操作が簡略化される。また、操作表示部での設定ミスを減らすことができる。
【００３９】
上記設定の状態から、カセット（１）〜（４）のサイズをＥｎｖｅｌｏｐｅ  Ｃ５に変更する場合は、従来の画像形成装置では上述のＡ２、Ａ４、Ａ６、Ａ８と同様の操作が必要であるが、この画像形成装置１では、Ｂ２と同様の操作のみで設定できる。
【００４０】
また、従来の画像形成装置では、ダイアルがＯｔｈｅｒの場合は同じサイズかどうか一目でわからなかったが、この画像形成装置１では、カセット（２）〜（４）のダイアルがＣａｓｓｅｔｔｅ１の時は、カセット（１）〜（４）が同じサイズということが一目でわかる。
【００４１】
ここで、この画像形成装置１における制御部２０は、例えば図８のフローチャートに示す手順で用紙サイズの設定処理を行うようにしても、給紙カセット３２０，３３０，３４０の用紙サイズ設定ダイアル３２１，３３１，３４１において選択肢としてＣａｓｓｅｔｔｅ１を選択することによって、Ｃａｓｓｅｔｔｅ１が選択されたカセットの新たな用紙サイズとして、カセット（１）すなわち給紙カセット３１０と同じ用紙サイズを設定することができる。
【００４２】
すなわち、図８のフローチャートに示す用紙サイズの設定処理では、給紙カセット（ｎ）が閉じられると（ステップＳ１１）、用紙サイズ設定ダイアルに変更があった否か判定し（ステップＳ１２）、その判定結果がＮｏすなわち用紙サイズ設定ダイアルに変更がない場合には、用紙サイズの設定を変更することなく、用紙サイズの設定処理を終了し、また、上記ステップＳ１２の判定結果がＹｅｓすなわち用紙サイズ設定ダイアルに変更がある場合には、用紙サイズ設定ダイアルが変更されて新たに選択された選択肢がＣａｓｓｅｔｔｅ１であるか否かを判定する（ステップＳ１３）。
【００４３】
そして、上記ステップＳ１３の判定結果がＮｏすなわち新たに選択された選択肢がＣａｓｓｅｔｔｅ１でない場合には、その給紙カセット（ｎ）の用紙サイズとして用紙サイズ設定ダイアルの変更による新たな用紙サイズの設定値をＥＥＰＲＯＭ２３に記憶し（ステップＳ１４）、給紙カセット（ｎ）は給紙カセット（１）すなわち給紙カセット３１０であるか否かを判定する（ステップＳ１５）。
【００４４】
このステップＳ１５の判定結果がＮｏすなわち給紙カセット（ｎ）が給紙カセット（１）でない場合には、そのまま用紙サイズの設定処理を終了し、また、上記ステップＳ１５の判定結果がＹｅｓすなわち給紙カセット（ｎ）が給紙カセット（１）である場合には、給紙カセット（ｎ＋１）が存在するか否かを判定する（ステップＳ１６）。
【００４５】
このステップＳ１６の判定結果がＮｏすなわち給紙カセット（ｎ＋１）が存在しない場合には、そのまま用紙サイズの設定処理を終了し、また、上記ステップＳ１６の判定結果がＹｅｓすなわち給紙カセット（ｎ＋１）が存在する場合には、給紙カセット（ｎ＋１）の用紙サイズ設定ダイアル の選択肢がＣａｓｓｅｔｔｅ１であるか否かを判定する（ステップＳ１７）。
【００４６】
このステップＳ１７の判定結果がＮｏすなわち給紙カセット（ｎ＋１）の用紙サイズ設定ダイアル の選択肢がＣａｓｓｅｔｔｅ１でない場合にはｎをインクリメントして（ステップＳ１９）して、上記ステップＳ１６に戻り、また、上記ステップＳ１７の判定結果がＹｅｓすなわち給紙カセット（ｎ＋１）の用紙サイズ設定ダイアル の選択肢がＣａｓｓｅｔｔｅ１である場合には、カセット（ｎ＋１）の新たな用紙サイズとして、カセット（１）すなわち給紙カセット３１０と同じ用紙サイズの設定値をＥＥＰＲＯＭ２３に記憶してから（ステップＳ１８）、ｎをインクリメントして（ステップＳ１９）して、上記ステップＳ１６に戻る。
【００４７】
また、上記ステップＳ１３の判定結果がＹｅｓすなわち給紙カセット（ｎ）の用紙サイズ設定ダイアル の選択肢がＣａｓｓｅｔｔｅ１である場合には、カセット（ｎ）の新たな用紙サイズとして、カセット（１）すなわち給紙カセット３１０と同じ用紙サイズの設定値をＥＥＰＲＯＭ２３に記憶して、用紙サイズの設定処理を終了する。
【００４８】
また、この画像形成装置１における給紙カセット３２０，３３０，３４０の用紙サイズ設定ダイアル３２１，３３１，３４１で設定できる用紙サイズの選択肢は、例えば図９に示すように、上記Ｃａｓｓｅｔｔｅ１の代わりＳａｍｅを加えたＡ４，Ａ５，Ｂ５，ＬＧ，ＬＴ，Ｏｔｈｅｒ，Ｓａｍｅの７種類とし、例えば図１０のフローチャートに示す手順で用紙サイズの設定処理を制御部２０により行うようにしてもよい。
【００４９】
この図１０のフローチャートに示す用紙サイズの設定処理では、給紙カセット（ｎ）が閉じられると（ステップＳ２１）、用紙サイズ設定ダイアルに変更があった否か判定し（ステップＳ２２）、その判定結果がＮｏすなわち用紙サイズ設定ダイアルに変更がない場合には、用紙サイズの設定を変更することなく、用紙サイズの設定処理を終了し、また、上記ステップＳ２２の判定結果がＹｅｓすなわち用紙サイズ設定ダイアルに変更がある場合には、用紙サイズ設定ダイアルが変更されて新たに選択された選択肢がＳａｍｅであるか否かを判定する（ステップＳ２３）。
【００５０】
そして、上記ステップＳ２３の判定結果がＮｏすなわち新たに選択された選択肢がＳａｍｅでない場合には、その給紙カセット（ｎ）の用紙サイズとして用紙サイズ設定ダイアルの変更による新たな用紙サイズの設定値をＥＥＰＲＯＭ２３に記憶し（ステップＳ２４）、また、上記ステップＳ２３の判定結果がＹｅｓすなわち新たに選択された選択肢がＳａｍｅである場合には、その給紙カセット（ｎ）の新たな用紙サイズとして、カセット（ｎ−１）と同じ用紙サイズの設定値をＥＥＰＲＯＭ２３に記憶する（ステップＳ２５）。
【００５１】
次に、カセット（ｎ＋１）が存在するか否かを判定し（ステップＳ２６）、その判定がＮｏすなわちカセット（ｎ＋１）が存在しない場合には、そのまま用紙サイズの設定処理を終了し、また、上記ステップＳ２５の判定がＹｅｓすなわちカセット（ｎ＋１）が存在する場合には、カセット（ｎ＋１）の用紙サイズ設定ダイアルの選択肢がＳａｍｅであるか否かを判定する（ステップＳ２７）。
【００５２】
そして、上記ステップＳ２７の判定結果がＮｏすなわちカセット（ｎ＋１）の用紙サイズ設定ダイアルの選択肢がＳａｍｅでない場合には、そのまま用紙サイズの設定処理を終了し、また、上記ステップＳ２５の判定がＹｅｓすなわちカセット（ｎ＋１）の用紙サイズ設定ダイアルの選択肢がＳａｍｅである場合には、その給紙カセット（ｎ＋１）の新たな用紙サイズとして、カセット（ｎ）と同じ用紙サイズの設定値をＥＥＰＲＯＭ２３に記憶し（ステップＳ２８）、ｎをインクリメントして（ステップＳ２９）、上記ステップＳ２６に戻る。
【００５３】
この画像形成装置１では、給紙カセット３２０，３３０，３４０の用紙サイズ設定ダイアル３２１，３３１，３４１において選択肢としてＳａｍｅを選択することによって、Ｓａｍｅが選択されたカセット（ｎ）の新たな用紙サイズとして、カセット（ｎ−１）と同じ用紙サイズを設定することができる。
【図面の簡単な説明】
【００５４】
【図１】本発明を適用した画像形成装置の外観図である。
【図２】上記画像形成装置のハードウエア構成を示すブロック図である。
【図３】上記画像形成装置における制御部の概略構成を示すブロック図である。
【図４】上記画像形成装置における各給紙カセットの用紙サイズ設定ダイアルで設定できる用紙サイズの選択肢を模式的に示す図である。
【図５】用紙サイズ設定ダイアルの選択肢がＯｔｈｅｒの場合に、操作表示部により設定された用紙サイズの表示内容を模式的に示す図である。
【図６】上記操作表示部により設定可能な用紙サイズの例を模式的に示す図である。
【図７】上記画像形成装置１における制御部による用紙サイズの設定処理の手順を示すフローチャートである。
【図８】上記画像形成装置１における制御部による用紙サイズの設定処理の他の手順を示すフローチャートである。
【図９】上記画像形成装置における給紙カセットの用紙サイズ設定ダイアルで設定できる用紙サイズの選択肢の他の例を模式的に示す図である。
【図１０】上記画像形成装置１における制御部による用紙サイズの設定処理のさらに他の手順を示すフローチャートである。
【符号の説明】
【００５５】
１  画像形成装置、
１０  本体部、
２０  制御部、
２１  ＲＯＭ、
２２  ＲＡＭ、
２３  ＥＰＲＯＭ、
２４  マイクロコンピュータ、
１００  画像形成部、
２００  原稿読取部、
３００  給紙部、
３１０，３２０，３３０，３４０  給紙カセット、
３１１，３２１，３３１，３４１  用紙サイズ設定ダイアル、
４００  操作表示部、
５００  画像記憶部、
６００  画像処理部
【図１】
2007176680.tif 000003
【図２】
2007176680.tif 000004
【図３】
2007176680.tif 000005
【図４】
2007176680.tif 000006
【図５】
2007176680.tif 000007
【図６】
2007176680.tif 000008
【図７】
2007176680.tif 000009
【図８】
2007176680.tif 000010
【図９】
2007176680.tif 000011
【図１０】
2007176680.tif 000012